(57)【要約】【課題】従来の放送信号受信機は、番組情報にニュース速報や緊急速報などの速報情報が重畳された放送波を受信すると、番組視聴中であっても速報情報を表示するため、番組の視聴を邪魔されてしまう。また、速報を受信してもユーザーが視聴画面の前に居ない場合、速報があったことが判らないままになる。【解決手段】速報情報を受信すると、その速報情報受信通知を表示画面に表示するとともに、速報情報を表示するかをユーザーに確認する表示を行う（ステップＳ１、Ｓ２）。これによりユーザーの任意のタイミングで速報情報を表示させることができる。また、ＣＭ期間中、又は番組終了時点で速報表示要求があったか判定し、要求があった場合には、速報情報を表示するため、番組の視聴が妨げられることなく、速報の表示ができる（ステップＳ３〜Ｓ５）。また、速報受信時に視聴画面の前に居なくても、速報情報の受信が分かる。【選択図】図４
2009004943.tif 000002
【特許請求の範囲】
【請求項１】
番組情報に速報情報が重畳された放送波を受信して、前記番組情報又は前記速報情報を表示画面に表示する放送信号受信機において、
受信した前記放送波の放送信号から前記速報情報を抽出して保持する抽出・保持手段と、
前記抽出・保持手段により前記速報情報を抽出したことを示す受信通知情報を、前記番組情報と共に前記表示画面に表示する通知手段と、
前記受信通知情報の表示後に、視聴中の前記番組情報の終了又はコマーシャル表示期間であるか否かを判定する番組情報非表示期間判定手段と、
前記番組情報非表示期間判定手段により前記番組情報の終了又はコマーシャル表示期間であるとの判定後に、前記速報情報の表示要求があるかどうかを判定する表示要求判定手段と、
前記速報情報の表示要求ありの判定により、前記抽出・保持手段により保持されている前記速報情報を読み出して前記表示画面に表示させる速報情報表示手段と
を有することを特徴とする放送信号受信機。
【発明の詳細な説明】
【技術分野】
【０００１】
本発明は放送信号受信機に係り、特にニュース速報や緊急速報などの、放送波に番組情報と共に重畳されて送られてくる速報情報を受信して表示する放送信号受信機に関する。
【背景技術】
【０００２】
放送波に重畳されて送られてくるデータ、例えばニュース速報や緊急速報などの速報情報については、デジタル放送ではデータ放送にて、アナログ放送では放送局がテレビジョン信号にスーパーインポーズする方法にて、視聴者に通知している。すなわち、アナログ放送においては、例えばニュース速報、気象情報などを通常放送の番組情報に文字を重畳して表示することによって文字による情報を伝達することは一般に広く行われている（例えば、特許文献１参照）。また、デジタル放送においても、速報の情報はデータ放送として送信される。
【０００３】
図８は従来の放送信号受信機の一例のブロック図を示す。図８を用いて、従来の放送信号受信機について簡単に説明する。ここでは例として、デジタル放送視聴時のニュース速報受信を挙げる。アンテナ１は地上デジタル放送波、または放送衛星（ＢＳ）や通信衛星（ＣＳ）などを中継局として用いたデジタル衛星放送波を受信する。アンテナ１は一般に周波数変換器を備え、周波数変換を行って得られた高周波デジタル変調信号をチューナ２に送る。
【０００４】
チューナ２は受信した高周波デジタル変調信号を中央処理装置（ＣＰＵ）５によって設定される特定の周波数にチューニングし、復調して、その復調した復調信号に含まれる少なくとも１つ以上のＭＰＥＧ（Moving Picture Experts Group）−ＴＳ(Transport Stream)を抽出する。ＴＳデコーダ３はチューナ２で抽出されたＭＰＥＧ−ＴＳからＭＰＥＧビデオストリーム、ＭＰＥＧオーディオストリーム、及びＰＳ１（Program Specification Information）などの付加情報データを分離する。なお、ＭＰＥＧオーディオそのものに関しては本発明とは関係がないので以後の説明は省く。
【０００５】
ＴＳデコーダ３は分離したＭＰＥＧビデオストリーム、ＭＰＥＧオーディオストリームをＡＶデコーダ４に送る。ニュース速報や緊急速報のデータはＭＰＥＧ−ＴＳに含まれている。また、ＥＰＧ（電子番組表）を構成、表示するための番組開始と終了時間や延長、中止などのデータもＴＳの情報に付加されている。また、ＴＳデコーダ３はＭＰＥＧ−ＴＳから速報のデータを取り出し、文字情報取得部８へ送る。
【０００６】
文字情報取得部８はＴＳデコーダ３から取得した速報のデータを表示データ生成部６に供給し、その速報のデータを画面表示するための表示データを生成させる。ＡＶデコーダ４で復号された放送番組のデータと、表示データ生成部６によって生成された速報データの表示データとは信号重畳部７で重畳された後、出力部９にて出力表示される。
【０００７】
また、放送波からコマーシャル（ＣＭ）の開始を検出する技術も知られている（例えば、特許文献２参照）。特許文献２記載の放送信号受信機では、ＴＶ映像信号の垂直帰線区間内に重畳されているネットキュー信号と呼ばれるパケット形式のデジタル信号を用いることにより、ＣＭの開始と終了を検知している。
【０００８】
その他、ＣＭの検知方法としては現在録画機器などでＣＭカットなどが実施されている。そのＣＭの検知方法の中で最も多く実用されているのは、音声信号の音声モードにより判別する方法で、ＣＭがステレオの音声信号で放送されることが多いものを利用したものである。番組中の音声信号がステレオではない場合、これでＣＭを検出できる。また、番組の音声もステレオだった場合は、ＣＭの開始と終了の無音状態になる時を検出してＣＭを検出する方法も知られている（例えば、特許文献３参照）。
【０００９】
図８を用いて説明すると、ＴＳデコーダ３で分離したＭＰＥＧビデオストリーム、ＭＰＥＧオーディオストリームを用いて、音声の変化を検出する。音声に形式や無音状態への変化があった場合にはＣＭの開始と終了を検出できる。
【００１０】
他に、ニュース速報については、速報などの情報が発信されるときに付加されている報知音を検出して、ニュース速報を検知する方法なども挙げられている（例えば、特許文献４参照）。これについても図８をあてはめると、ＴＳデコーダ３で分離したＭＰＥＧビデオストリーム、ＭＰＥＧオーディオストリームにて、速報と共に送られてくる報知音をオーディオストリームから抽出して、その報知音の個数などをカウントし、予告チャイムとして使われる個数と一致するかを調べる。速報の開始パターンに当てはまる場合は、速報の開始を検知し、ＴＳに重畳される字幕スーパーから速報データ文字列を取得する。
【００１１】
【特許文献１】特許第２５９０２７３号公報
【特許文献２】特公平７−１０１９２８号公報
【特許文献３】特開平８−２３５６７６号公報
【特許文献４】特公平７−４８８３２号公報
【発明の開示】
【発明が解決しようとする課題】
【００１２】
しかしながら、上記の特許文献１〜４記載の従来の技術では、ニュース速報の表示が優先され、速報を表示したくない時にも画面上の表示がされてしまうという問題点がある。特にユーザーが好みの番組を視聴している際に、速報が画面上に現れてしまった場合、視聴の妨げになってしまう。また、録画機器の再生中に速報を受信したときに速報を表示させる発明（例えば、特開２００２−２６２１９２号公報参照）も知られているが、速報によって視聴が妨げられてしまう問題点は変わらない。
【００１３】
図９は従来の方法による速報受信時の画面変化の説明図である。図９において、ユーザーが番組を視聴しているときに、速報受信ａが発生したものとする。この場合は、速報受信ａの後、速報の表示が開始され、速報の終了ｂまで視聴画面上に速報が表示される。その速報表示期間中はユーザーは、番組の視聴を邪魔されてしまうことになる。また、速報を受信してもユーザーが視聴画面の前に居ない場合、速報があったことが判らないままである。他にも、受信機本体の設定中など速報に注意を向けることができない場合も、速報そのものを見逃してしまう可能性がある。
【００１４】
また、ユーザーに関係する情報のみを取り出して、ユーザーの視聴の妨げにならないように必要なニュース速報のみ表示する技術として、ユーザーが住んでいる地域に関係するものだけを表示する方法は特許文献１に、また、登録しておいたキーワードに合致する情報のみを取り出す方法は特許第３１７３４３７号号公報に記載があるものの、その条件に合致するものならばユーザーが本来見たい番組を視聴している最中に画面上へ表示されてしまうことに変わりはなく、視聴の妨げとなってしまう問題点は解決されていない。
【００１５】
本発明は以上の点に鑑みなされたもので、見たい番組の視聴中に、ニュース速報によって視聴を妨げられることがない放送信号受信機を提供することを目的とする。
【００１６】
また、本発明の他の目的は、番組を視聴している最中でも、ユーザーが好きなタイミングで速報を表示させることができる放送信号受信機を提供することにある。
【００１７】
更に、本発明の他の目的は、ユーザーが視聴画面の前に居ないときに速報があっても、ユーザーは画面への速報受信通知によって速報の存在を知ることができる放送信号受信機を提供することにある。
【課題を解決するための手段】
【００１８】
上記の目的を達成するため、本発明は、番組情報に速報情報が重畳された放送波を受信して、番組情報又は速報情報を表示画面に表示する放送信号受信機において、受信した放送波の放送信号から速報情報を抽出して保持する抽出・保持手段と、抽出・保持手段により速報情報を抽出したことを示す受信通知情報を、番組情報と共に表示画面に表示する通知手段と、受信通知情報の表示後に、視聴中の番組情報の終了又はコマーシャル表示期間であるか否かを判定する番組情報非表示期間判定手段と、番組情報非表示期間判定手段により番組情報の終了又はコマーシャル表示期間であるとの判定後に、速報情報の表示要求があるかどうかを判定する表示要求判定手段と、速報情報の表示要求ありの判定により、抽出・保持手段により保持されている速報情報を読み出して表示画面に表示させる速報情報表示手段とを有することを特徴とする。
【発明の効果】
【００１９】
本発明によれば、番組情報に速報情報が重畳された放送波を受信したときは、視聴中の番組の終了時又はコマーシャル表示期間中に、速報情報を表示することで、番組視聴を妨げられることがなく速報情報を見ることができ、また、速報情報通知の表示により、ユーザーが表示画面の前に居なくても速報の存在を知ることができるという利点があり、ユーザーの番組視聴における利便性が高まる。
【発明を実施するための最良の形態】
【００２０】
次に、発明を実施するための最良の形態について図面と共に説明する。図１は本発明になる放送信号受信機の一実施例のブロック図を示す。同図中、図８と同一構成部分には同一符号を付し、その説明を省略する。
【００２１】
図１において、文字情報取得保持部１１はＴＳデコーダ３から取得した速報のデータから速報の文字情報を取り出して内部のバッファに保存する。ＯＳＤ生成部１２は、受信したことなどを示すＯＳＤ（オンスクリーンディスプレイ）を生成する。ＯＳＤ表示部１３は、ＯＳＤ生成部１２で生成されたＯＳＤを表示する。ここで、ＯＳＤ生成部１２で生成するＯＳＤは、受信したことを示す部分ＯＳＤか、速報を一覧で確認できる全画面ＯＳＤである。
【００２２】
ユーザーからの速報情報表示要求がない間や番組視聴中は、ＣＰＵ１０からの制御信号に基づいて、ＡＶデコーダ４で復号された放送番組のデータとＯＳＤ生成部１２で生成されたＯＳＤとを信号重畳部１５で重畳し、出力部９にて出力表示する。もし、ユーザーからの速報情報表示要求があるときや、番組視聴中でないときは、ＣＰＵ１０からの制御信号に基づいて、データ表示生成部１４が、文字情報取得保持部１１で取得しバッファへ保存したデータから、速報を画面表示するための表示データを生成する。ＡＶデコーダ４で復号された放送番組のデータと、表示データ生成部１４によって生成された速報データの表示データとは信号重畳部１５で重畳された後、出力部９に供給されて出力表示される。
【００２３】
本実施の形態は、番組視聴中に受信したニュース速報や緊急速報など放送波に重畳されて送られてくるデータ（速報情報）から取得した文字情報を、受信した後にすぐ表示するのではなく、ユーザーからの表示要求やＣＭへの切り替わり、番組の終了など本来見たい番組の視聴時を避けたタイミングによって表示して、見たい番組の視聴を邪魔されてしまうことと、速報を見逃してしまうことを防ぐ。
【００２４】
速報の検出やＣＭの開始と終了の検出方法は背景技術に記載したように知られており、また、ＣＭが無く番組がつながって放送されるパターンについては、ＴＳに付加されている番組開始時間や終了時間を検出することによって、対応することができる。この時もＴＳデコーダ３を用いて、情報を取得する。
【００２５】
ユーザーが番組を視聴しているときにニュース速報や緊急情報を受信したことを、ＴＳデコーダ３が検知すると、文字情報取得保持部１１はＴＳデコーダ３から取得した速報のデータから速報の文字情報を取り出して、ＯＳＤ生成部１２により速報受信を示すＯＳＤなどを生成させる。
【００２６】
図２は放送番組の画像２０ａ、２０ｂを表示している画面中に、ＯＳＤ生成部１２により生成されたＯＳＤ情報２１が表示されていることを示す。この例は、部分ＯＳＤのＯＳＤ情報２１を使ってニュース速報や緊急速報を受信したことを表示している例である。
【００２７】
図３は本発明による速報受信による画面変化の一実施の形態を示す。
【００２８】
図３において、ユーザーが番組を視聴している際に速報の受信ａを行う。速報の受信ａを終えると、ユーザーに速報を受信したことを通知する。その後、ユーザーからの速報情報表示要求を受信する、もしくは番組の終了やＣＭへの切り替わりｂが発生すると、未読の速報が存在することを通知しユーザーへ表示しても良いかを問う。
【００２９】
ユーザーからの速報情報表示要求があれば、未読速報の表示を開始するが、速報表示の終了ｃまでの間、番組視聴中ではないために視聴を妨げることはない。また、見たい番組が連続しているなどの理由で、ユーザーが速報情報表示を要求しなかった場合、ユーザーからの速報情報表示要求がされるまでの間、図２に示すような部分ＯＳＤのＯＳＤ情報２１を表示して未読速報を通知する。このことにより、見たい番組の視聴を妨げられることがなくなる。また、番組の視聴中に地震が発生するなどして、早急に情報を確認したいときも、ユーザーからのニュース速報情報表示要求によって、ユーザーは速報を即座に確認できる。
【００３０】
次に、番組の視聴中に速報を受信したときの本実施の形態の動作について更に詳細に説明する。
【実施例１】
【００３１】
まず、本発明の実施例１の動作について図４のフローチャートと図５の表示例と共に説明する。
【００３２】
ユーザーが番組を視聴しており、画面に例えば図５（Ａ）に示す番組の画像が表示されている最中に、速報受信した時、ニュース速報などの受信通知により、ユーザーへ速報の受信通知を行う（図４のステップＳ１）。この受信通知は、図５（Ｂ）に示すように、ＯＳＤ生成部１２により生成された、受信した速報があることを部分ＯＳＤ２３が、番組視聴中の画像と共に同一画面に表示される。
【００３３】
続いて、ＣＰＵ１０は図１では図示を省略した操作部からユーザーが表示を希望して、未読速報情報表示要求をしたかどうか判定し（図４のステップＳ２）、表示要求をしたと判定した場合は、未読速報情報の表示を行う（図４のステップＳ５）。従って、この場合は、速報情報受信通知に基づいて、番組視聴中であっても、ユーザーが任意のタイミングで番組情報の画像上に速報情報を重ねた状態で表示させることができる。すなわち、従来は速報情報受信終了後、ユーザーの意図に関係なく直ちに速報情報が表示されたのに対し、本実施の形態では、番組を視聴している最中でも、ユーザーが意図した任意の表示タイミングで速報情報を表示させることができる。
【００３４】
一方、ステップＳ２で表示の要求がなかったと判定した場合、ＣＭへの切り替わりや番組の終了など、番組の視聴が中断される時を待つ。ＣＭへの切り替わりや番組の終了などが発生した場合（図４のステップＳ３）、ＣＰＵ１０はＯＳＤ表示部１２に速報を表示して良いかをユーザーに問うＯＳＤ情報を生成させて、図５（Ｃ）に示すようにそのＯＳＤ情報２４を表示させる（図４のステップＳ４）。ここでは画面上にダイアログを出すことを例とした。
【００３５】
この表示に基づいて、ユーザーが速報情報表示要求をしたとき、受信した速報の表示を行う（図４のステップＳ５）。図５（Ｄ）は速報の表示を行った際の画像例を示す。ここでは例として、通常のニュース速報と同様に表示している。従って、本実施例では、単にユーザーが速報情報受信通知に基づいて、任意のタイミングで速報情報を表示させるだけではなく、ＣＭへの切り替わりや視聴中の番組の終了など本来見たい番組の視聴時を避けたタイミングによって速報情報表示の有無をユーザーに問い合わせることで、見たい番組の視聴を邪魔されることなく、速報を見逃してしまうことを防ぐことができる。また、ユーザーが視聴画面の前に居ないときに速報があっても、ユーザーは画面への速報受信通知によって速報の存在を知ることができる。
【実施例２】
【００３６】
次に、本発明の実施例２の動作について図４のフローチャートと図６の表示例と共に説明する。
【００３７】
ユーザーが番組を視聴しており、画面に例えば図６（Ａ）に示す番組の画像が表示されている最中に、速報受信した時、ニュース速報などの受信通知により、ユーザーへ速報の受信通知を行う（図４のステップＳ１）。この受信通知は、図６（Ｂ）に示すように、ＯＳＤ生成部１２により生成された、受信した速報があることを部分ＯＳＤ２３が、番組視聴中の画像と共に同一画面に表示される。
【００３８】
続いて、上記の番組視聴中のときに更に他の速報を受信した時には、この例では番組中を想定して、特に表示を行わないため、図６（Ｃ）に示すように、他の速報を受信しても、同図（Ｂ）と同じ最初に速報を受信したときの画像の表示が引き続き行われる。
【００３９】
続いて、ＣＰＵ１０は図１では図示を省略した操作部からユーザーが表示を希望して、未読速報情報表示要求をしたかどうか判定し（図４のステップＳ２）、表示要求をしたと判定した場合は、未読速報情報の表示を行う（図４のステップＳ５）。一方、ステップＳ２で表示の要求がなかったと判定した場合、ＣＭへの切り替わりや番組の終了など、番組の視聴が中断される時を待つ。ＣＭへの切り替わりや番組の終了などが発生した場合（図４のステップＳ３）、ＣＰＵ１０はＯＳＤ表示部１２に速報を表示して良いかをユーザーに問うＯＳＤ情報を生成させて、図６（Ｄ）に示すようにそのＯＳＤ情報２４を表示させる（図４のステップＳ４）。ここでは画面上にダイアログを出すことを例とした。
【００４０】
この表示に基づいて、ユーザーが速報情報表示要求をしたとき、受信した速報の表示を行う（図４のステップＳ５）。図６（Ｅ）は、ステップＳ５に基づいて、ユーザーからの速報情報表示要求によって画面上へ速報の表示を行っているときの画面を表している。この例では全画面ＯＳＤなどを使用して、速報を一覧で２度受信したことが確認できるようになっている。
【００４１】
次に、本実施の形態の動作について従来の動作と対比して図７のシーケンス図と共に更に詳細に説明する。
【００４２】
図７（Ａ）に示されるように、従来は番組視聴中に速報を受信した場合（ステップＡ１）、その速報受信を直ぐに要求して（ステップＡ２）、画面上に速報の表示を行う。
【００４３】
これに対し、本実施の形態では、図７の（Ｂ）、（Ｃ）に示されるような処理の後、画面上に速報が表示される。図７（Ｂ）はＣＭ中に速報を受信したときの場合である。速報受信を検知したとき（ステップＢ１）、ＣＰＵ１０が現在の放送の状態やユーザーからの要求の状態を確認する（ステップＢ２）。この例では現在の放送の状態がＣＭ中であるので（ステップＢ３）、ユーザーへ速報情報表示しても良いかを問うＯＳＤ情報を表示させる（ステップＢ４）。ユーザーからの速報情報表示要求があれば、ニュース速報を表示する（ステップＢ５、Ｂ６、Ｂ７）。
【００４４】
番組視聴中かユーザーからの要求が無いときの動作は、図７（Ｃ）のシーケンスで示される。この場合、速報受信を検知したとき（ステップＣ１）、ＣＰＵ１０が現在の放送の状態やユーザーからの要求の状態を確認すると（ステップＣ２）、番組視聴中であることが確認されるので（ステップＣ３）、ユーザーへ速報情報表示しても良いかを問うＯＳＤ情報を表示させる（ステップＣ４）。続いて、放送がＣＭに切り替わるかユーザーが表示要求をするまで待つ（ステップＣ５〜Ｃ８）。
【００４５】
ＣＭへの切り替わり後もユーザーへ速報情報表示しても良いかを問うＯＳＤ情報を表示させ（ステップＣ６、Ｃ７、Ｃ８）、ユーザーへ速報情報表示をしてもよいかを問う。ユーザーからの速報情報表示要求がされると、速報情報の表示を行う（ステップＣ９、Ｃ１０）。
【図面の簡単な説明】
【００４６】
【図１】本発明の放送信号受信機の一実施の形態のブロック図である。
【図２】速報受信通知画面の一例を示す図である。
【図３】本発明による速報受信による画面変化の一実施の形態を示す図である。
【図４】本発明の速報受信時の動作説明用フローチャートである。
【図５】本発明の実施例１の画面の変化を示す図である。
【図６】本発明の実施例２の画面の変化を示す図である。
【図７】従来と本発明の一実施の形態の速報受信時の動作を対比して示すシーケンス図である。
【図８】従来の放送信号受信機の一例のブロック図である。
【図９】従来による速報受信時の画面変化の一例を示す図である。
【符号の説明】
【００４７】
２  チューナ
３  ＴＳデコーダ
４  ＡＶデコーダ
９  出力部
１０  中央処理装置（ＣＰＵ）
１１  文字情報取得保持部
１２  ＯＳＤ生成部
１３  ＯＳＤ表示部
１４  表示データ生成部
１５  信号重畳部
【図１】
2009004943.tif 000003
【図２】
2009004943.tif 000004
【図３】
2009004943.tif 000005
【図４】
2009004943.tif 000006
【図５】
2009004943.tif 000007
【図６】
2009004943.tif 000008
【図７】
2009004943.tif 000009
【図８】
2009004943.tif 000010
【図９】
2009004943.tif 000011